【事件の表示】
　特願２０１５−６２３１６「バイアスカット装置」拒絶査定不服審判事件〔平成２８年１０月１３日出願公開、特開２０１６−１７９５３８、請求項の数（５）〕について、次のとおり審決する。
【結　論】
　原査定を取り消す。
　本願の発明は、特許すべきものとする。
【理　由】
第１　手続の経緯
　本願は、平成２７年３月２５日を出願日とする出願であって、その手続の経緯は以下のとおりである。
　平成３０年　６月　８日付け：拒絶理由通知書
　平成３０年　７月２７日　　：意見書、手続補正書の提出
　平成３０年１２月　４日付け：拒絶査定
　平成３１年　３月２９日　　：審判請求書と同時に手続補正書の提出
　
第２　原査定の概要
　原査定（平成３０年１２月４日付け拒絶査定）の概要は次のとおりである。
　
　請求項１−２に係る発明は、以下の引用文献１に基づいて、その発明の属する技術分野における通常の技術を有する者（以下、「当業者」という。）が容易に発明できたものであるから、特許法第２９条第２項の規定により特許を受けることができない。
　請求項３−５に係る発明は、以下の引用文献１−２に基づいて、当業者が容易に発明できたものであるから、特許法第２９条第２項の規定により特許を受けることができない。
　
引用文献等一覧
　１.特開２００６−２０５３３５号公報
　２.特開２０１４−６５１３２号公報
　
第３　本願発明
　本願請求項１−５に係る発明（以下、それぞれ「本願発明１」−「本願発明５」という。）は、平成３１年３月２９日提出の手続補正書で補正された特許請求の範囲の請求項１−５に記載された事項により特定される発明であり、そのうち本願発明１は以下のとおりの発明である。
　
「【請求項１】
　矩形断面のベルトをバイアスにカットするバイアスカット装置であって、
　前記矩形断面のベルトに対して張力を付与しつつ、ベルト周長方向に掛け渡すことが可能な少なくとも２本の軸と、
　少なくとも前記２本の軸のうち何れか一方を駆動可能な軸駆動部と、
　前記ベルトの張り側と弛み側の少なくとも一方を押圧するプッシュロールと、
　前記軸間に掛け渡された前記ベルトの内周空間に配置される一枚の丸刃を備えたカッターヘッドと、
　前記丸刃を、前記カッターヘッドに対して回転可能にする丸刃駆動部と、
　前記カッターヘッドの前記丸刃を、対向する前記ベルト内周面の一方向側の内周面に向かう方向であって、前記ベルトの幅方向の一端側の前記バイアスカット面に沿って進入させる第１方向と、前記ベルトの幅方向に移動させる第２方向と、対向する前記ベルト内周面の他方向側の内周面に向かう方向であって、前記ベルトの幅方向の他端側の前記バイアスカット面に沿って進入させる第３方向と、に移動自在にする移動機構と、
　制御部と、を備え、
　前記２本の軸に掛け渡された前記ベルトを、前記軸駆動部の駆動により、走行させた際に、前記丸刃駆動部により回転させる、前記丸刃の回転方向は、前記ベルトの走行方向と同じ方向になるように設定されており、
　前記制御部は、前記丸刃を前記第１方向へ移動させて、前記ベルトの幅方向の一端側を前記バイアスカット面に沿ってカットさせた後、前記丸刃を前記第２方向へ移動させて、前記丸刃を前記ベルトの幅方向の一端側から他端側に移動させた後、前記丸刃を前記第３方向へ移動させて、前記ベルトの幅方向の他端側を前記バイアスカット面に沿ってカットするように前記移動機構を制御するバイアスカット装置。」
　
　また、本願発明２−５は、概略、本願発明１を減縮した発明である。
　
第４　引用文献、引用発明等
１．引用文献１について
（１）原査定の拒絶の理由に引用された引用文献１には、図面とともに次の事項が記載されている（下線は理解の便のため当審にて付与。以下同。）。
　
ア　段落【００２４】−【００２６】
「【００２４】
　次に、上記伝動ベルト１を製造するためのバイアスカット装置２０の構成について、図１〜図３を参照しながら説明する。図１は本発明の一実施形態に係るバイアスカット装置の全体的な構成を示した斜視図、図２はカッターヘッドの移動によるバイアスカットの様子を示す平面断面拡大図である。図３は、カッターヘッド及びその支持構成の斜視図である。
【００２５】
　
図１に示すように、このバイアスカット装置２０は、その本体２３に、矩形断面のベルト４０を張架することが可能な、互いに平行な駆動軸２１と従動軸２２を備えている
【００２６】
　
前記駆動軸２１は、本体２３に内蔵された図示しないモータ等の原動機（駆動部）に連結されており、この原動機からの駆動力を受けて回転して、ベルト４０を走行させることができるようになっている
イ　段落【００２９】−【００３０】
「【００２９】
　またバイアスカット装置２０は、図１や図２に示すように、互いに対向して配置された第１支持部４１と第２支持部４２を備えている。これら支持部４１・４２のそれぞれは、
ベルト４０の張り側と弛み側で接触しながら回転可能に設けられたプッシュロール４３と、ベルト４０の両側面を挟持しながら回転可能に設けられたガイドロール４４を備えている
【００３０】
　
上記の駆動軸２１及び従動軸２２の間であって、２つの支持部４１・４２の間の位置（ベルト４０の内周空間）には、前記ベルト４０の側面をバイアス（斜状）にカットするカッターヘッド５０が配置される。このカッターヘッド５０は、ディスク状の２枚の刃（第１刃５１及び第２刃５２）を備えている。カッターヘッド５０は、ベルト４０の内周空間に差し込まれるように延在する１本のアーム５３の先端に取り付けられている
ウ　段落【００３１】−【００３２】
「【００３１】
　
バイアスカット装置２０の本体２３は、前記カッターヘッド５０を移動させるための移動機構６０を備えている。この移動機構６０は、第１テーブル６１と、この第１テーブル６１の上に移動可能に設けられたダイアル駆動式の回転台６３と、この回転台６３の上に設けられた第２テーブル６２と、第２テーブル６２上を移動可能な移動体６４と、を備えている。移動体６４には連結部材５４が固定され、この連結部材５４の先端に前記アーム５３の基端部が固定されている。本実施形態では、このアーム５３と連結部材５４とにより、カッターヘッド５０を支持する支持部材が構成されている
【００３２】
　
第１テーブル６１及び第２テーブル６２には図示しないサーボモータが備えられており、このサーボモータにより、移動体６４、ひいてはそれに連結部材５４及びアーム５３を介して連結されたカッターヘッド５０を移動させることができる
エ　段落【００３３】−【００３４】
「【００３３】
　カッターヘッド５０の構成を図１〜図３を参照して詳細に説明する。
第１刃５１及び第２刃５２は互いに同一の形状とされ、何れも、その全周に刃部が形成された円形刃に構成されている。これらの刃５１・５２は、円柱状の固定部材５５を介して一体的に相互連結される（図２・図３を参照）。固定手段としては、例えば取付ネジ５６が使用される
【００３４】
　第１刃５１及び第２刃５２は、互いに厚み方向に適宜の距離（固定部材５５の長さ分の距離）を形成するように配置されている。従って、２つの刃５１・５２を互いに干渉させずに確実に固定することができる。また、ベルト４０のカット時に２枚の刃５１・５２が衝突したり干渉することがなくなるので、刃５１・５２の耐久性が向上され、メンテナンスの必要頻度を低減できる。また、第１刃５１と第２刃５２によって通常は回転不能に固定されているが、メンテナンス作業時には例えば前記取付ネジ５６を緩めることで、両刃５１・５２を中心軸Ｃ１・Ｃ２まわりに回転させることができる。こうして構成されたカッターヘッド５０が、刃５１・５２を若干傾斜させた状態で、アーム５３の先端に取り付けられている。」
オ　段落【００３５】−【００４０】
「【００３５】
　次に、この構成のバイアスカット装置２０を使用してＶ字状の伝動ベルト１を製造する方法について説明する。
【００３６】
　先ず、矩形断面のベルト４０を、両軸２１・２２の収容溝２４の部分に掛ける。その後、図示しない前記シリンダを駆動すると、収容溝２４の側面でベルト４０（特に、図４の前記圧縮ゴム層６）を挟んだ状態で、ベルト４０を２本の軸２１・２２に張架することが
できる。また、支持部４１・４２においては、ベルト４０の両側部をガイドロール４４・４４で挟持させるとともに、背面をプッシュロール４３で押圧させる。こうしてベルト４０のバイアスカット装置２０へのセットが完了する（図１）。
【００３７】
　その後、
図略の原動機で駆動軸２１を駆動し、ベルト４０に張力を付与しつつ走行させる
移動機構６０を駆動し、カッターヘッド５０の第１刃５１でベルト４０の圧縮ゴム層６の一側の側面を斜めにカットし、第２刃５２で他側の側面を斜めにカットする
【００３８】
　
具体的には先ず、カッターヘッド５０を図２の矢印Ｉの方向へ駆動し、第１支持部４１のプッシュロール４３で押されたベルト４０の圧縮ゴム層６に対し、その第１支持部４１側へ突出している第１刃５１を、斜めに進入させる。こうして、ベルト４０の側面にバイアスカット面１５を形成できる。続いて、カッターヘッド５０を矢印ＩＩの方向へ駆動し、第２支持部４２のプッシュロール４３で押されたベルト４０の圧縮ゴム層６に対し、その第２支持部４２側へ突出している第２刃５２を、斜めに進入させる
【００３９】
　上述したように、本実施形態では、カッターヘッド５０が、互いに移動不能に連結された第１刃５１と第２刃５２を有しており、このカッターヘッド５０がアーム５３によって支持されるとともに、移動機構６０は、連結部材５４及び前記アーム５３を介して前記カッターヘッド５０を移動させるようになっている。そして、移動機構６０によってカッターヘッド５０を一側へ移動させる（矢印Ｉ）ことにより、前記第１刃５１で前記圧縮ゴム層６の一側の側面をバイアスにカットし、カッターヘッド５０を他側へ移動させる（矢印ＩＩ）ことにより、前記第２刃５２で前記圧縮ゴム層６の他側の側面をバイアスにカットする。
【００４０】
　従って、
単一のカッターヘッド５０が矢印Ｉ，ＩＩの双方へ移動することでベルト４０の両側の側面をカットできるから、カッターヘッド５０やその移動機構６０を１つに集約でき、移動機構６０等を含めたコンパクト化、軽量化、低コスト化を図ることができる
カッターヘッド５０はベルト４０の内周空間に備えられ、内周側からベルト４０の両側側面をバイアスにカットする構成となっているから、バイアスカットに必要なカッターヘッド５０の移動距離を少なくでき、作業時間も短縮できる
カッターヘッド５０が上述のように２枚の刃５１・５２を一体的にまとめた構成となっているから、カッターヘッド５０自体をコンパクトとでき、内周空間が狭い短いベルト長のベルトもカットすることができる
　
（２）上記（１）の記載及び図面から、引用文献１には、次の技術的事項が開示されていると認められる。
　
ア　上記（１）ウ、オの記載事項及び図１の図示内容から、引用文献１には、カッターヘッド５０のディスク状の刃５１・５２を、対向するベルト４０内周面の一方向側の内周面に向かう方向であって、前記ベルト４０の幅方向の一端側のバイアスカット面に沿って進入させる矢印Ｉの方向と、前記ベルト４０の幅方向に移動させる方向と、対向する前記ベルト４０内周面の他方向側の内周面に向かう方向であって、前記ベルト４０の幅方向の他端側の前記バイアスカット面に沿って進入させる矢印ＩＩの方向と、に移動自在にする移動機構６０が記載されていると認められる。
　
イ　技術常識から、「移動機構６０」による「カッターヘッド５０」の移動は、「制御部」によって制御されていると認められる。
　
（３）上記（１）の記載事項及び上記（２）の認定事項から、上記引用文献１には次の発明（以下、「引用発明」という。）が記載されていると認められる。
　
　引用発明
「矩形断面のベルト４０をバイアスにカットするバイアスカット装置２０であって、
　前記矩形断面のベルト４０に対して張力を付与しつつ、ベルト４０周長方向に掛け渡すことが可能な駆動軸２１と従動軸２２と、
　前記駆動軸２１を駆動可能な原動機と、
　前記ベルト４０の張り側と弛み側の少なくとも一方を押圧するプッシュロール４３と、
　前記駆動軸２１と従動軸２２間に掛け渡された前記ベルト４０の内周空間に配置される２枚のディスク状の刃５１・５２を備えたカッターヘッド５０と、
　前記カッターヘッド５０の前記ディスク状の刃５１・５２を、対向する前記ベルト４０内周面の一方向側の内周面に向かう方向であって、前記ベルト４０の幅方向の一端側の前記バイアスカット面に沿って進入させる矢印Ｉの方向と、前記ベルト４０の幅方向に移動させる方向と、対向する前記ベルト４０内周面の他方向側の内周面に向かう方向であって、前記ベルト４０の幅方向の他端側の前記バイアスカット面に沿って進入させる矢印ＩＩの方向と、に移動自在にする移動機構６０と、
　制御部と、を備え、
　前記制御部は、前記ディスク状の刃５１・５２を前記矢印Ｉの方向へ移動させて、前記ベルト４０の幅方向の一端側を前記バイアスカット面に沿ってカットさせた後、前記ディスク状の刃５１・５２を前記矢印ＩＩの方向へ移動させて、前記ベルト４０の幅方向の他端側を前記バイアスカット面に沿ってカットするように前記移動機構６０を制御するバイアスカット装置。」
　
第５　対比・判断
１．本願発明１について
（１）対比
　本願発明１と引用発明とを対比すると、次のことがいえる。
　
ア　引用発明における「バイアスカット装置２０」は、本願発明１における「バイアスカット装置」に相当し、以下同様に、「ベルト４０」は「ベルト」に、「駆動軸２１と従動軸２２」は「少なくとも２本の軸」に、「駆動軸２１」は「少なくとも前記２本の軸のうち何れか一方」に、「原動機」は「軸駆動部」に、「プッシュロール４３」は「プッシュロール」に、「前記駆動軸２１と従動軸２２間」は「前記軸間」に、「カッターヘッド５０」は「カッターヘッド」に、「矢印Ｉの方向」は「第１方向」に、「ベルト４０の幅方向に移動させる方向」は「ベルトの幅方向に移動させる第２方向」に、「矢印ＩＩの方向」は「第３方向」に、「移動機構６０」は「移動機構」に、それぞれ相当する。
　
イ　引用発明の「（２枚の）ディスク状の刃５１・５２」と、本願発明１の「（一枚の）丸刃」とは、「丸刃」という点で一致する。
　
ウ　したがって、本願発明１と引用発明との間には、次の一致点、相違点があるといえる。
　
（一致点）
「矩形断面のベルトをバイアスにカットするバイアスカット装置であって、
　前記矩形断面のベルトに対して張力を付与しつつ、ベルト周長方向に掛け渡すことが可能な少なくとも２本の軸と、
　少なくとも前記２本の軸のうち何れか一方を駆動可能な軸駆動部と、
　前記ベルトの張り側と弛み側の少なくとも一方を押圧するプッシュロールと、
　前記軸間に掛け渡された前記ベルトの内周空間に配置される丸刃を備えたカッターヘッドと、
　前記カッターヘッドの前記丸刃を、対向する前記ベルト内周面の一方向側の内周面に向かう方向であって、前記ベルトの幅方向の一端側の前記バイアスカット面に沿って進入させる第１方向と、前記ベルトの幅方向に移動させる第２方向と、対向する前記ベルト内周面の他方向側の内周面に向かう方向であって、前記ベルトの幅方向の他端側の前記バイアスカット面に沿って進入させる第３方向と、に移動自在にする移動機構と、
　制御部と、を備え、
　前記制御部は、前記丸刃を前記第１方向へ移動させて、前記ベルトの幅方向の一端側を前記バイアスカット面に沿ってカットさせた後、前記丸刃を前記第３方向へ移動させて、前記ベルトの幅方向の他端側を前記バイアスカット面に沿ってカットするように前記移動機構を制御するバイアスカット装置。」
　
（相違点１）
　本願発明１は、「一枚の丸刃」を備えた「カッターヘッド」と、「前記丸刃を、前記カッターヘッドに対して回転可能にする丸刃駆動部」を備え、「前記２本の軸に掛け渡された前記ベルトを、前記軸駆動部の駆動により、走行させた際に、前記丸刃駆動部により回転させる、前記丸刃の回転方向は、前記ベルトの走行方向と同じ方向になるように設定されて」いるのに対し、引用発明は、「カッターヘッド５０」が「２枚のディスク状の刃５１・５２」を備え、「ディスク状の刃５１・５２」を回転可能にする駆動部があるか不明な点。
　
（相違点２）
　本願発明１は、「制御部は、前記丸刃を前記第１方向へ移動させて、前記ベルトの幅方向の一端側を前記バイアスカット面に沿ってカットさせた後、前記丸刃を前記第２方向へ移動させて、前記丸刃を前記ベルトの幅方向の一端側から他端側に移動させた後、前記丸刃を前記第３方向へ移動させて、前記ベルトの幅方向の他端側を前記バイアスカット面に沿ってカットするように前記移動機構を制御する」のに対し、引用発明は、「制御部は、前記ディスク状の刃５１・５２を前記矢印Ｉの方向へ移動させて、前記ベルト４０の幅方向の一端側を前記バイアスカット面に沿ってカットさせた後、前記ディスク状の刃を前記矢印ＩＩの方向へ移動させて、前記ベルト４０の幅方向の他端側を前記バイアスカット面に沿ってカットするように前記移動機構６０を制御する」ものであり、ディスク状の刃５１・５２を矢印Ｉの方向へ移動させてベルト４０をカットさせた後、前記ディスク状の刃５１・５２を前記ベルト４０の幅方向の一端側から他端側に移動させることは明記されていない点。
　
（２）相違点についての判断
（上記相違点１について）
　引用発明は、従来ベルトの両端面を挟むように設けられていた２枚の刃を、カッターヘッドに一体的にまとめた構成とするとともに、刃を回転不能に固定することにより、装置の構成を簡素にし、コンパクト化、低コスト化を実現したものである。引用文献１には、２枚の刃を一箇所にまとめることは記載されているものの、２枚の刃を１枚に変更することまでは記載されていない。また、「メンテナンス作業時には例えば前記取付ネジ５６を緩めることで、両刃５１・５２を中心軸Ｃ１・Ｃ２まわりに回転させる」ことは記載されているものの、駆動部を用いて刃を回転させることまでは記載されていない。
　そうすると、たとえ１枚の刃で複数箇所を切断するカット装置や丸刃の回転方向を対象の走行方向と同じ方向になるように設定したカット装置が周知であったとしても、引用発明において、２枚の刃５１・５２を１枚にするとともに、当該１枚の刃を駆動部を用いて回転可能にするように変更する動機はないというべきである。
　したがって、上記相違点１に係る構成は、当業者であっても、引用発明に記載された技術的事項に基づいて容易に発明できたものであるとはいえない。
　
　したがって、本願発明１は、相違点２を検討するまでもなく、引用発明に記載された技術的事項に基づいて当業者が容易に発明できたものであるとはいえない。
　
２．本願発明２−５について
　本願発明２−５は、本願発明１の構成全てを引用した発明であって、本願発明１の相違点１に係る構成と同一の構成を備えるものであるから、本願発明１と同様の理由により、当業者であっても、引用発明に記載された技術的事項に基づいて容易に発明をすることができたものであるとはいえない。
　
第６　原査定について
１．理由（特許法第２９条第２項）について
　審判請求時の補正により、本願発明１−５は「前記丸刃を、前記カッターヘッドに対して回転可能にする丸刃駆動部」を備え、「前記２本の軸に掛け渡された前記ベルトを、前記軸駆動部の駆動により、走行させた際に、前記丸刃駆動部により回転させる、前記丸刃の回転方向は、前記ベルトの走行方向と同じ方向になるように設定され」るという事項を有するものとなっており、当業者であっても、拒絶査定において引用された引用文献１−２に基づいて、容易に発明できたものとはいえない。したがって、原査定の理由を維持することはできない。
　
第７　むすび
　以上のとおり、本願発明１−５は、当業者が引用発明に基づいて容易に発明をすることができたものではない。したがって、原査定の理由によっては、本願を拒絶することはできない。
　また、他に本願を拒絶すべき理由を発見しない。
　よって、結論のとおり審決する。